(57)【要約】【課題】  連窓を構成する一つの窓としても兼用することができるドアユニットを提供する。【解決手段】  開口部装置のホロー部４０´を備えた縦枠の下端部４０ａに取り付けられるキャップ１５０であって、本体部と、保護部１６０とを具備し、本体部は高部１５１と低部１５２とを備えており、低部は排水孔１５４を備えるとともに、左右側部のいずれかに保護部が形成され、保護部には縦枠の室外面４０ｂに形成された嵌合部に嵌合される装着部１６０ａを備えるとともに、低部から、保護部を折り取るよう構成する。【選択図】      図２（ａ）
2005083178.tif 000002
【特許請求の範囲】
【請求項１】
開口部装置のホロー部を備えた縦枠の下端部に取り付けられるキャップであって、本体部と、保護部とを具備し、
前記本体部は高部と低部とを備えており、前記低部は排水孔を備えるとともに、左右側部のいずれかに前記保護部が形成され、
前記保護部には前記縦枠の室外面に形成された嵌合部に嵌合される装着部を備えるとともに、前記低部から、前記保護部が折り取れるよう構成されている、ことを特徴とするキャップ。
【請求項２】
ホロー部を備えた縦枠の下端部に、本体部と、保護部とを具備するキャップが取り付けられたドアユニットであって、
前記キャップの本体部は高部と低部とを備えており、前記低部は排水孔を備えるとともに、左右側部のいずれかに前記保護部が形成され、
前記保護部には前記縦枠の室外面に形成された嵌合部に嵌合される装着部を備えるとともに、前記低部から、前記保護部が折り取れるよう構成されている前記キャップが取り付けられたドアユニット。
【請求項３】
室外面、室内面、および左右側面からなるホロー部を備えた縦枠を具備した開口部装置であって、
前記縦枠は、前記室外面に方立と連結可能であるよう構成された嵌合部を備えるとともに、前記縦枠の下端部にはキャップが取り付けられ、
前記キャップは本体部と、該本体部の左右側部いずれかに形成された保護部とを備えており、前記保護部は前記嵌合部を被覆する位置に備えられ、折り取り可能にも構成されている、
ことを特徴とする開口部装置。
【発明の詳細な説明】
【技術分野】
【０００１】
本発明は、単窓、および連窓に兼用される縦枠キャップ、該縦枠キャップを備えたドアユニット、および該ドアユニットを備えた開口部装置に関する。
【背景技術】
【０００２】
単窓を構成するそれぞれの縦枠には、特にホロー材が使用される場合、室外に面する部分の上枠や下枠との継目等から雨水等が侵入するのを防ぐために、縦枠の上下にキャップを取り付けている。キャップには、雨水等の侵入を防止する効果に加えて、縦枠内に溜まった雨水等を排水するための排水口が設けられていることが多い。
【０００３】
特許文献１には、縦枠の上端と下端とを、ともに縦枠の軸に垂直な面で切断してキャップで塞ぐ方法が開示されている。図３に示すように、内側が中空構造である縦枠４００の下面には、シーラー４１０を介してキャップ４２０が取り付けられており、水密性を確保することによって雨水等の侵入を防止している。
【０００４】
また、公知の技術として、縦枠４００の下面と、縦枠４００に備えられた取り付け面４３０の下面４３１に取り付けられるように形成された複合キャップがある。この複合キャップはキャップ４２０にさらに保護部材が形成されており、縦枠に被せることで、施工者等が取り付け面４３０の下端面角部４４０の手を引っ掛けたり、下面４３１の端面で手を切ったりするなどの怪我が防止されるようにされている。
【特許文献１】特開平８−１７７３３２号公報
【発明の開示】
【発明が解決しようとする課題】
【０００５】
近年、生産効率の面から、単窓だけでなく連窓にも容易な加工のみで兼用できるドアユニットが望まれている。しかしながら、かかる単窓・連窓に対応可能なドアユニットの改良は殆どなされてきていなかった。すなわち、上記複合キャップは単窓にのみ取り付け可能な形状であり、この単窓を利用して連窓を構成しようとしても、複合キャップ、特に保護部材の部分がじゃまとなって、２つの窓を嵌合することができなかった。
【０００６】
そこで、本発明は、連窓を構成する一つの窓としても兼用することができるドアユニットを提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１の発明は、開口部装置のホロー部（４０´、２４０´）を備えた縦枠の下端部（４０ａ、２４０ａ）に取り付けられるキャップ（１５０）であって、本体部と、保護部（１６０）とを具備し、本体部は高部（１５１）と低部（１５２）とを備えており、低部は排水孔（１５４）を備えるとともに、左右側部のいずれかに保護部が形成され、保護部には縦枠の室外面（４０ｂ、２４０ｂ）に形成された嵌合部（２５５）に嵌合される装着部（１６０ａ）を備えるとともに、低部から、保護部が折り取れるよう構成されている、ことを特徴とするキャップを提供して前記課題を解決する。
【０００９】
請求項１の発明によれば、ホロー部を備えたホロー材の縦枠の下端部の形状に応じて、保護部付きのキャップ、またはキャップの本体部から保護部を折り取ったキャップのいずれかを取り付けることが可能である。
【００１０】
また、請求項２の発明は、ホロー部（４０´、２４０´）を備えた縦枠の下端部（４０ａ、２４０ａ）に、本体部と、保護部（１６０）とを具備するキャップ（１５０）が取り付けられたドアユニットであって、キャップの本体部は高部（１５１）と低部（１５２）とを備えており、低部は排水孔（１５４）を備えるとともに、左右側部のいずれかに保護部が形成され、保護部には前記縦枠の室外面（４０ｂ、２４０ｂ）に形成された嵌合部（２５５）に嵌合される装着部（１６０ａ）を備えるとともに、低部から、保護部が折り取れるよう構成されているキャップが取り付けられたドアユニットであることを特徴とする。
【００１１】
請求項２の発明によれば、通常単独のドアとして使用できるドアユニットを、複合キャップの保護部分を折り取ることにより他の窓との嵌合が可能となるので、連窓用に兼用することができる。
【００１２】
請求項３の発明は、室外面（４０ｂ、２４０ｂ）、室内面、および左右側面からなるホロー部（４０´、２４０´）を備えた縦枠（４０、２４０）を具備した開口部装置であって、縦枠は、室外面に方立（２８０）と連結可能であるよう構成された嵌合部（２５５）を備えるとともに、縦枠の下端部（４０ａ、２４０ａ）にはキャップ（１５０）が取り付けられ、キャップは本体部と、該本体部の左右側部いずれかに形成された保護部（１６０）とを備えており、保護部は嵌合部を被覆する位置に備えられ、折り取り可能にも構成されている、ことを特徴とする開口部装置を提供して前記課題を解決する。
【００１３】
請求項３の発明によれば、開口部装置に備えられたホロー部を備えたホロー材の縦枠の下端部には、保護部付きのキャップ、またはキャップの本体部から保護部を折り取ったキャップのいずれかを取り付けることが可能である。
【発明の効果】
【００１４】
請求項１の発明によれば、ホロー部を備えたホロー材の縦枠の下端部の形状に応じて、保護部付きのキャップ、またはキャップの本体部から保護部を折り取ったキャップのいずれかを取り付けることが可能である。
【００１５】
また、請求項２の発明によれば、通常単独のドアとして使用できるドアユニットを、複合キャップの保護部分を折り取ることにより他の窓との嵌合が可能となるので、連窓用に兼用することができる。
【００１６】
また、請求項３の発明によれば、開口部装置に備えられたホロー部を備えたホロー材の縦枠の下端部には、保護部付きのキャップ、またはキャップの本体部から保護部を折り取ったキャップのいずれかを取り付けることが可能である。
【００１７】
本発明のこのような作用及び利得は、次に説明する発明を実施するための最良の形態から明らかにされる。
【発明を実施するための最良の形態】
【００１８】
以下本発明を図面に示す実施形態に基づき説明する。
【００１９】
図１は本発明にかかる窓を、室外側より斜め下方の視点から見上げた斜視図である。図１（ａ）には、単窓１００として設けられた開口部装置を示す。単窓１００は、建物（図示せず。）に取り付けられる最小ドアユニットの１ユニットであって、枠体５０を備えている。枠体５０は、上枠１０、下枠２０、右縦枠３０、および左縦枠４０によって構成されており、図示されていないが、可動障子を備えてドアや開閉窓とすることが可能である。左右の縦枠３０、および４０は、図１（ａ）には明示されていないが、ホロー部を備えたホロー材が使用されており、下部には複合キャップ１５０が取り付けられている。
【００２０】
図１（ｂ）には、連窓３００として設けられた開口部装置を示す。図１（ｂ）に示された連窓３００は、２ユニットであって、枠体２００、および２７０を備えている。枠体２００は、上枠２１０、下枠２２０、右縦枠２３０、および左縦枠２４０によって構成されており、図示されていないが、可動障子を備えてドアや開閉窓とすることが可能である。また、左右の縦枠２３０、および２４０は、図１（ｂ）には明示されていないがホロー部を備えたホロー材が使用されており、左縦枠２４０の下部には複合キャップ２５０が取り付けられている。
【００２１】
また、枠体２００の左方に、枠体２００と方立２８０を介して連結されている枠体２７０は、上枠２７１、下枠２７２、右縦枠２７３、および左縦枠２７４によって構成されており、図示されていないが、ガラスパネル等を備えて嵌め殺し窓とすることが可能である。また、左右の縦枠２７３、および２７４は、図示のとおりソリッド材が使用されている。
【００２２】
図１（ａ）に示した複合キャップ１５０と、図１（ｂ）に示したキャップ２５０は、上記した構造の単窓１００、および連窓３００のドアユニット内において最大の特徴を備えた部材である。以下にその構造を詳述する。
【００２３】
図２は、図１の部分拡大図である。図２（ａ）には図１（ａ）の四角枠Ａ内の拡大図が示されている。枠体１００の左縦枠４０の下端部４０ａは、左縦枠の室外面４０ｂ、右側面、左側面、および室内面（左右側面、および室内面は本図に現われていない。）によって四方を囲まれた、ホロー部４０´を有する略筒形状の断面を呈している。複合キャップ１５０は、この下端部４０ａを覆い、かつ室内面、室外面４０ｂの下面、および左右側面の下面に、複合キャップ１５０の上面（本図には現われていない。）が密着し、かつ、わずかに外側に大きく取り付けられるよう形成されている。縦枠内には、躯体の外壁等を伝って流下してきた水滴が侵入することがあるが、複合キャップ１５０が密着して取り付けられることにより水密性が保たれ、所定の位置以外からは水が縦枠外部に漏水しないようになっている。
【００２４】
複合キャップ１５０は、主に室内側に配置されている高部１５１と、室外側に配置されている低部１５２と、低部１５２の室外面１５２ａよりわずかに室外上方向にずらされ、左縦枠４０の室外面４０ｂの幅の長さ分よりわずかに長くなるよう、低部１５２の左方向から形成された保護部１６０とで構成されている。
【００２５】
高部１５１と、低部１５２とは斜面部１５３を挟んで繋げられている。左縦枠４０に溜まった雨水は、複合キャップ１５０上面まで流れ落ち、高部１５１に落滴した雨水も斜面部１５３を通じて低部１５２に集水され、低部に形成された排水孔１５４から円滑に左縦枠４０の外部へと排水される。
【００２６】
また、キャップ１５０の保護部１６０には、左縦枠４０の室外面４０ｂに形成された、嵌合部の主に下角部（嵌合部、および下角部（図２（ｂ）参照）とも本図には現われていない。以下、本図において嵌合部を含めて室外面４０ｂとする。）を覆うように、装着部１６０ａが形成されている。保護部１６０によって室外面４０ｂの下角部が保護されていない場合には、枠体１００が躯体に窓として高めに取り付けられたとき下角部が露出し、手指を引っ掛けて怪我をすることがある。そのため、枠体１００のみを構成部材とする１ユニットの窓等には、保護部１６０を備えた複合キャップ１５０が使用されている。
【００２７】
図２（ｂ）には、図１（ｂ）の四角枠Ｂ内の拡大図が示されている。なお、図２（ｂ）をよりよく説明するために、図１（ｂ）の四角枠Ｂ内に現われている方立２８０、および枠体２７０の右縦枠２７３を追加して表したものを、図１（ｂ）の矢印の先端の四角枠Ｃに図示する。
【００２８】
枠体２００の左縦枠２４０の下端部２４０ａは、左縦枠の室外面２４０ｂ、右側面、左側面、および室内面（左右側面、および室内面は本図に現われていない。）によって四方を囲まれた、ホロー部２４０´を有する略筒形状の断面を呈している。キャップ２５０は、この下端部２４０ａを覆い、かつ室内面、室外面２４０ｂの下面、および左右側面の下面に、キャップ２５０の上面（本図には現われていない。）が密着し、かつ、わずかに外側に大きく取り付けられるよう形成されている。縦枠内には、躯体の外壁等を伝って流下してきた水滴が侵入することがあるが、密着して取り付けられることにより水密性が保たれ、所定の位置以外からは水が縦枠外部に漏水しないようになっている。
【００２９】
キャップ２５０は、主に室内側に配置されている高部２５１と、室外側に配置されている低部２５２とで構成されている。高部２５１と、低部２５２とは斜面部２５３を挟んで繋げられている。左縦枠２４０に溜まった雨水は、キャップ２５０上面まで流れ落ち、高部２５１に落滴した雨水も斜面部２５３を通じて低部２５２に集水され、低部に形成された排水孔２５４から円滑に左縦枠２４０の外部へと排水される。
【００３０】
左縦枠２４０の室外面２４０ｂには、左端部が室内方向へ略９０度屈曲するように嵌合部２５５が形成されている。嵌合部２５５は方立２８０と嵌合されるよう設けられている。従って、連窓３００の１ユニットである枠体２００を構成部材とする窓等には、保護部１６０が備えられていないキャップ２５０が使用される。室外面２４０ｂの下角部２５５ａが室内方向に向けられているため、枠体２００が躯体に窓として高めに取り付けられたとしても、上記左縦枠４０の室外面４０ｂの下角部とは異なり下角部２５５ａが露呈されることはない。よって、複合キャップ１５０のような保護部１６０は不要である。
【００３１】
四角枠Ｂ内の矢印の先に示された四角枠Ｃの枠内には、左縦枠２４０が方立２８０に嵌合された様子が図示されている。方立２８０の右方には、左縦枠２４０の嵌合部２５５と嵌合されるよう形成された被嵌合溝２８１が形成されている。被嵌合溝２８１は、方立２８０の右辺が室内方向に凹状に窪んでいる。被嵌合溝２８１に、嵌合部２５５の先端部が嵌合されることにより、上記のとおり、下角部２５５ａが外観にさらされることがないようになっている。
【００３２】
上記図２（ａ）に示した複合キャップ１５０と、図２（ｂ）に示したキャップ２５０とは母材、変形材の関係にある。樹脂材を射出成型することによって作られる複合キャップ１５０は、ホロー材により形成されている左縦枠４０の下角部を覆う保護部１６０が一体形成されている状態で、上記のとおり単窓を構成している枠体１００に取り付けられる。一方、連窓を構成する縦枠が、図２（ｂ）の左縦枠２４０のようにホロー材により形成されている場合には、図２（ａ）に示した複合キャップ１５０を母材とし、保護部１６０を低部１５２から折り取って変形させ、キャップ２５０としたものを左縦枠２４０の下角部に取り付けることができる。上記のとおり、複合キャップ１５０は樹脂材で形成されているため、簡単に折り取ることが可能である。
【００３３】
複合キャップ１５０と、キャップ２５０とを生産するには、複合キャップ１５０の金型のみを作って樹脂成型すればよく、また、複合キャップ１５０からキャップ２５０への変形加工も容易に行うことができるため、単窓として使用されるドアユニットを連窓用に兼用することが可能となり、生産効率に優れている。また、変形してキャップ２５０とした場合でも廃棄物はほとんどなく、環境に配慮した設計になっている。
【００３４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うホロー材縦枠キャップ、ドアユニット、および開口部装置もまた本発明の技術的範囲に包含されるものとして理解されなければならない。
【図面の簡単な説明】
【００３５】
【図１（ａ）】単窓を室外側において斜め下方から見上げた斜視図である。
【図１（ｂ）】連窓を室外側において斜め下方から見上げた斜視図である。
【図２（ａ）】図１（ａ）の四角枠Ａの範囲の拡大図である。
【図２（ｂ）】図１（ｂ）の四角枠Ｂの範囲の拡大図である。
【図３】従来例を示す図である。
【符号の説明】
【００３６】
４０、２４０  縦枠
４０´、２４０´  ホロー部
４０ａ、２４０ａ  下端部
４０ｂ、２４０ｂ  室外面
１５０  複合キャップ（キャップ）
１５１  高部
１５２  低部
１５３  斜面部
１５４  排水孔
１６０  保護部
１６０ａ  装着部
２５５  嵌合部
２８０  方立
【図１（ａ）】
2005083178.tif 000003
【図１（ｂ）】
2005083178.tif 000004
【図２（ａ）】
2005083178.tif 000005
【図２（ｂ）】
2005083178.tif 000006
【図３】
2005083178.tif 000007